(57)【要約】      （修正有）【課題】吸収式冷凍機に供給される熱を有効利用することができる吸収式冷凍システムを提供する。【解決手段】吸収式冷凍システム１は、蒸発器、吸収器、再生器及び凝縮器による循環サイクルによって５つの室内機３１にて使用される冷水を得る２つの吸収式冷凍機２１と、これらの吸収式冷凍機をそれぞれ制御するシステムコントローラ４０と、を有している。システムコントローラは、５つの室内機が冷水に与える熱量と、２つの吸収式冷凍機の冷凍能力とを比較して、２つの吸収式冷凍機についての運転台数を制御している。【選択図】図１
2016057005.tif 000002
【特許請求の範囲】
【請求項１】
蒸発器、吸収器、再生器及び凝縮器による循環サイクルによって外部機器にて使用される冷水を得る複数の吸収式冷凍機と、
前記複数の吸収式冷凍機をそれぞれ制御するコントローラと、を有し、
前記コントローラは、前記外部機器が冷水に与える熱量と、前記複数の吸収式冷凍機の冷凍能力とを比較して、前記複数の吸収式冷凍機についての運転台数を制御することを特徴とする吸収式冷凍システム。
【請求項２】
太陽熱集熱器によって集熱した熱を蓄熱する蓄熱槽をさらに有し、
前記蓄熱槽は、熱媒を前記複数の吸収式冷凍機にそれぞれ供給し、
前記複数の吸収式冷凍機のそれぞれは、前記蒸発器にて蒸発した冷媒を前記吸収器内の吸収液にて吸収し、冷媒を吸収した吸収液を再生器に供給すると共に、前記吸収器から前記再生器に供給される吸収液を前記蓄熱槽から供給される熱媒によって暖めることを特徴とする請求項１に記載された吸収式冷凍システム。
【請求項３】
前記外部機器から前記複数の吸収式冷凍機を経て再度外部機器に冷水を循環させる冷水流路と、
前記複数の吸収式冷凍機の凝縮器及び吸収器に冷却水を供給する複数の冷却塔と、をさらに有し、
前記コントローラは、
前記外部機器から前記複数の吸収式冷凍機に戻る冷水の温度と、前記複数の吸収式冷凍機から前記外部機器に供給される冷水の温度と、前記冷水流路を流れる冷水の流量とに基づいて、前記外部機器が冷水に与える熱量を算出し、
前記複数の吸収式冷凍機毎に、その吸収式冷凍機に供給される熱媒の温度と、その吸収式冷凍機に供給される冷却水の温度と、その吸収式冷凍機の温度特性とに基づいて冷凍能力を算出することを特徴とする請求項２に記載された吸収式冷凍システム。
【発明の詳細な説明】
【技術分野】
【０００１】
本発明は、吸収式冷凍システムに関する。
【背景技術】
【０００２】
従来より、蒸発器、吸収器、再生器及び凝縮器による循環サイクルによって外部機器にて使用される冷水を得る吸収式冷凍機が知られている（例えば特許文献１参照）。また、この吸収式冷凍機の再生器に熱媒を供給する蓄熱槽や、この吸収式冷凍機の吸収器及び凝縮器に冷却水を供給する冷却塔を備えた吸収式冷凍システムも知られている。
【０００３】
吸収式冷凍機では、吸収式冷凍機から外部機器に供給される冷水の温度に応じて温調停止を行う。ここで、温調停止とは、冷水の温度が温調停止温度以下になると、当該冷水の温度が温調開始温度以上となるまで吸収式冷凍機の運転を一時停止するものである。
【先行技術文献】
【特許文献】
【０００４】
【特許文献１】特開２０１４−０３５１３９号公報
【発明の概要】
【発明が解決しようとする課題】
【０００５】
ところで、温調停止等で吸収式冷凍機の運転が一時停止すると、吸収式冷凍機に導入した熱を冷却塔で放熱させてしまうため、熱を無駄に利用してしまうという問題がある。吸収式冷凍機は運転を継続している限り導入された熱を有効に利用することができるが、運転の一時停止が間欠的に起きる場合には熱を有効に利用することができなくなる。
【０００６】
また、吸収式冷凍システムでは、外部機器の最大負荷に応じて吸収式冷凍機を複数台の備えるものもある。このようなシステムにおいては、外部機器が低負荷の場合、全ての吸収式冷凍機について温調停止が繰り返されることから、上述の問題がより顕著となる。
【０００７】
本発明はかかる事情に鑑みてなされたものであり、その目的は、吸収式冷凍機に供給される熱を有効利用することができる吸収式冷凍システムを提供する。
【課題を解決するための手段】
【０００８】
かかる課題を解決するために、本発明は、蒸発器、吸収器、再生器及び凝縮器による循環サイクルによって外部機器にて使用される冷水を得る複数の吸収式冷凍機と、複数の吸収式冷凍機をそれぞれ制御するコントローラと、を有する吸収式冷凍システムを提供する。ここで、コントローラは、外部機器が冷水に与える熱量と、複数の吸収式冷凍機の冷凍能力とを比較して、複数の吸収式冷凍機についての運転台数を制御する。
【０００９】
ここで、本発明は、太陽熱集熱器によって集熱した熱を蓄熱する蓄熱槽をさらに有していてもよい。この場合、蓄熱槽は、熱媒を複数の吸収式冷凍機にそれぞれ供給し、複数の吸収式冷凍機のそれぞれは、蒸発器にて蒸発した冷媒を吸収器内の吸収液にて吸収し、冷媒を吸収した吸収液を再生器に供給すると共に、吸収器から再生器に供給される吸収液を蓄熱槽から供給される熱媒によって暖めることが好ましい。
【００１０】
また、本発明は、外部機器から複数の吸収式冷凍機を経て再度外部機器に冷水を循環させる冷水流路と、複数の吸収式冷凍機の凝縮器及び吸収器に冷却水を供給する複数の冷却塔と、をさらに有していてもよい。この場合、コントローラは、外部機器から複数の吸収式冷凍機に戻る冷水の温度と、複数の吸収式冷凍機から外部機器に供給される冷水の温度と、冷水流路を流れる冷水の流量とに基づいて、外部機器が冷水に与える熱量を算出することが好ましい。また、コントローラは、複数の吸収式冷凍機毎に、その吸収式冷凍機に供給される熱媒の温度と、その吸収式冷凍機に供給される冷却水の温度と、その吸収式冷凍機の温度特性とに基づいて冷凍能力を算出することが好ましい。
【発明の効果】
【００１１】
本発明によれば、外部機器が低負荷であっても、その負荷に応じた台数の吸収式冷凍機が運転を行うこととなる。そのため、運転中の吸収式冷凍機の温調停止等の運転の一時停止の頻度が低くなり、また、全ての吸収式冷凍機が温調停止を繰り返すといった事態を抑制することができる。これにより、吸収式冷凍機に供給される熱を有効利用することができる。
【図面の簡単な説明】
【００１２】
【図１】吸収式冷凍システムを模式的に示す構成図
【図２】吸収式冷凍機の一例を示す概略構成図
【図３】吸収式冷凍システムの制御方法を示すフローチャート
【図４】吸収式冷凍機の温度特性を示す説明図
【発明を実施するための形態】
【００１３】
図１は、本実施形態に係る吸収式冷凍システム１を模式的に示す構成図である。本実施形態に係る吸収式冷凍システム１は、太陽熱を利用して吸収式冷凍機２１の希溶液を加熱するものであり、第１システム１０と、第２システム２０と、第３システム３０と、システムコントローラ４０とを備えている。
【００１４】
第１システム１０は、太陽熱を蓄熱するシステムであり、太陽熱集熱器１１と、蓄熱槽１２と、集熱流路１３と、集熱ポンプ１４とを備えている。
【００１５】
太陽熱集熱器１１は、太陽光を受光することで熱媒を加熱するものであって、例えば屋根の上などの太陽光を受光し易い位置に設置される。熱媒には、水、不凍液（例えばプロピレングリコール水溶液）などが用いられる。
【００１６】
蓄熱槽１２は、太陽熱集熱器１１によって集熱した熱を蓄熱するものであり、例えば、太陽熱集熱器１１にて加熱された熱媒を内部に貯留するタンクである。
【００１７】
集熱流路１３は、蓄熱槽１２から太陽熱集熱器１１を経て再度蓄熱槽１２に熱媒を循環させる配管である。この集熱流路１３のうち、蓄熱槽１２から太陽熱集熱器１１に向かう流路を第１集熱流路１３ａと称し、太陽熱集熱器１１から蓄熱槽１２に向かう流路を第２集熱流路１３ｂと称する。
【００１８】
集熱ポンプ１４は、第１集熱流路１３ａに設けられており、熱媒を循環させる動力源となるものである。
【００１９】
本実施形態では、集熱方式は直接集熱式であり、集熱流路１３にて太陽熱集熱器１１と蓄熱槽１２との間を循環する熱媒と、後述する熱媒流路２２にて蓄熱槽１２と吸収式冷凍機２１との間を循環する熱媒とを共用している。しかしながら、集熱方式を間接集熱式とし、集熱流路１３にて太陽熱集熱器１１と蓄熱槽１２との間を循環する熱媒と、熱媒流路２２にて蓄熱槽１２と吸収式冷凍機２１との間を循環する熱媒とを分離して使用してもよい。この場合、蓄熱槽１２は熱交換器を備えるものとし、集熱流路１３を介して循環する熱媒を熱交換器に流して蓄熱槽１２を加熱することができる。
【００２０】
第２システム２０は、後述する室内機３１にて使用される冷水を得るためのものであり、複数（本実施形態では２つ）の吸収式冷凍機２１と、熱媒流路２２と、熱媒ポンプ２３とを備えている。なお、本実施形態では、室内機３１にて冷水を使用するものであるが、冷水に限らず、その他の冷媒を使用してもよい。
【００２１】
図２は、吸収式冷凍機２１の一例を示す概略構成図である。個々の吸収式冷凍機２１は、再生器における希溶液を加熱し、当該再生器、凝縮器、蒸発器及び吸収器の循環サイクルによって冷水を得るものである。個々の吸収式冷凍機２１は、再生器１０１、凝縮器１０２、蒸発器１０３及び吸収器１０４で構成されている。また、個々の吸収式冷凍機２１には、冷却塔２５と、冷却水流路２６とが組み合わされている。
【００２２】
再生器１０１は、冷媒（例えば水）と、吸収液となる臭化リチウム（ＬｉＢｒ）とが混合された希溶液（吸収液の濃度が低い溶液）を加熱するものである。以下、冷媒が蒸気化したものを「冷媒蒸気」といい、冷媒が液化したものを「液冷媒」という。この再生器１０１には熱媒流路２２が配置されており、熱媒流路２２上に希溶液が散布され加熱される。再生器１０１は、加熱により希溶液から蒸気を放出させることにより、冷媒蒸気と濃溶液（吸収液の濃度が高い溶液）とを生成する。
【００２３】
凝縮器１０２は、再生器１０１から供給された冷媒蒸気を液化させるものである。この凝縮器１０２内には、冷却塔２５で冷却された冷却水が流通する伝熱管１０２ａが設けられている。この伝熱管１０２ａには、冷却水が伝熱管１０２ａと冷却塔２５との間を循環できるように冷却水流路２６が連結されている。蒸発した冷媒蒸気は伝熱管１０２ａ内の冷却水によって液化する。凝縮器１０２にて液化した液冷媒は蒸発器１０３に供給される。
【００２４】
蒸発器１０３は、液冷媒を蒸発させるものである。この蒸発器１０３内には、後述する室内機３１に接続される冷水流路３２が設けられている。この冷水流路３２には、室内機３１によって暖められた冷水が流れている。また、蒸発器１０３内は、真空状態となっている。このため、冷媒である水の蒸発温度は約５℃となる。よって、冷水流路３２上に散布された液冷媒は冷水流路３２の温度によって蒸発する。一方、冷水流路３２内の冷水は、液冷媒の蒸発によって温度が奪われる。これにより、冷水流路３２内を流れる冷水は冷却され、この冷却された冷水が室内機３１に供給される。
【００２５】
吸収器１０４は、蒸発器１０３において蒸発した冷媒を吸収するものである。再生器１０１から濃溶液が供給され、蒸発した冷媒は濃溶液によって吸収され、希溶液が生成される。この吸収器１０４内には、冷却塔２５で冷却された冷却水が流通する伝熱管１０４ａが設けられている。この伝熱管１０４ａには、冷却水が伝熱管１０４ａと冷却塔２５との間を循環できるように冷却水流路２６が連結されている。濃溶液の冷媒の吸収により生じる吸収熱は、伝熱管１０４ａを流通する冷却水により除去される。冷媒の吸収により濃度が低下した希溶液は、ポンプ１０４ｂによって再生器１０１に供給される。なお、伝熱管１０４ａは、冷却塔２５の冷却水を凝縮器１０２とで共用するために、凝縮器１０２の伝熱管１０２ａと接続されている。
【００２６】
冷却塔２５は、冷却水を吸収式冷凍機２１に供給するとともに、吸収式冷凍機２１によって暖められた冷却水を冷却するものである。冷却塔２５は、例えば底部に冷却水を収容する槽を有している。この槽にはフロートの上下によって給水が行われ、当該槽は一定量の冷却水を貯留する。また、冷却塔２５は、その上部に、ファンと当該ファンの下方に配置される熱交換部とを有している。吸収式冷凍機２１から戻ってきた冷却水は熱交換部に散布され、熱交換部を通過することで冷却される。当該熱交換部により冷却された冷却水は槽に貯留される。
【００２７】
冷却水流路２６は、冷却塔２５から吸収式冷凍機２１の吸収器１０４及び凝縮器１０２を経て再度冷却塔２５に冷却水を循環させる配管である。このうち、冷却塔２５から吸収式冷凍機２１に向かう流路を第１冷却水流路２６ａと称し、吸収式冷凍機２１から冷却塔２５に向かう流路を第２冷却水流路２６ｂと称する。
【００２８】
第１冷却水流路２６ａは、冷却塔２５の底部（槽の底部分）に連結されており、この第１冷却水流路２６ａには冷却水ポンプ２７が設けられている。冷却水ポンプ２７は、冷却水を循環させる動力源となるものである。第２冷却水流路２６ｂは、冷却塔２５の上部（ファンと熱交換部との間）に連結されている。
【００２９】
さらに、吸収式冷凍機２１は、制御部１０５を備えている。この制御部１０５はＣＰＵ（Central Processing Unit）を備え、吸収式冷凍機２１の全体を制御するものである。また、この制御部１０５は、後述のシステムコントローラ４０からの制御出力（運転指令／休止指令）に基づいて、吸収式冷凍機２１を運転したり、その運転を休止したりする。
【００３０】
吸収式冷凍機２１を運転する場合、制御部１０５は、吸収式冷凍機２１の冷水出口配管に設けられた冷水出口温度センサから得られる冷水出口温度に基づいて吸収式冷凍機２１の制御を行う。具体的には、制御部１０５には、冷房運転時における温調停止温度と温調開始温度とが記憶されている（温調停止温度＜温調開始温度）。制御部１０５は、冷水出口温度が温調停止温度以下になると、その運転を一時停止させ（温調停止）、冷水出口温度が温調開始温度以上となると、温調停止を解除してその運転を再開する。なお、一時停止中において後述する冷水ポンプ３３は動作しており、冷水は循環させられている。
【００３１】
再び図１を参照するに、熱媒流路２２は、蓄熱槽１２から吸収式冷凍機２１の再生器１０１を経て再度蓄熱槽１２に熱媒を循環させる配管である。このうち、蓄熱槽１２から吸収式冷凍機２１の再生器１０１に向かう流路を第１熱媒流路２２ａと称し、吸収式冷凍機２１の再生器１０１から蓄熱槽１２に向かう流路を第２熱媒流路２２ｂと称する。
【００３２】
熱媒ポンプ２３は、熱媒流路２２のうち第１熱媒流路２２ａに設けられており、熱媒を循環させる動力源となるものである。
【００３３】
第３システム３０は、吸収式冷凍機２１にて得られた冷水を室内機３１に供給するものであり、複数（例えば５つ）の室内機３１と、冷水流路３２と、冷水ポンプ３３とで構成されている。
【００３４】
個々の室内機３１は、冷水流路３２に対して並列的に接続されており、室内に設けられている。個々の室内機３１は、空調機であり、吸収式冷凍機２１から供給される冷水と室内から取り込んだ空気との間で熱交換を行う。この熱交換により、空気から冷水に熱が奪われて空気が冷却される。個々の室内機３１は、冷却した空気を室内に送風する。
【００３５】
冷水流路３２は、室内機３１から吸収式冷凍機２１の蒸発器１０３を経て再度室内機３１に冷水を循環させる配管である。このうち、吸収式冷凍機２１の蒸発器１０３から室内機３１に向かう流路を第１冷水流路３２ａと称し、室内機３１から吸収式冷凍機２１の蒸発器１０３に向かう流路を第２冷水流路３２ｂと称する。
【００３６】
冷水ポンプ３３は、冷水流路３２のうち第２冷水流路３２ｂに設けられており、冷水を循環させる動力源となるものである。
【００３７】
システムコントローラ４０は、吸収式冷凍システム１全体の制御を司るものである。システムコントローラ４０には、制御入力として、各種センサ等からの信号が入力されている。システムコントローラ４０は、制御入力に基づいて各種の演算を行い、この演算結果に従った制御出力を吸収式冷凍システム１の各部に出力する。システムコントローラ４０としては、ＣＰＵ、ＲＯＭ、ＲＡＭ、Ｉ／Ｏインターフェースを主体に構成されたマイクロコンピュータを用いることができる。
【００３８】
蓄熱槽温度センサ４１は、蓄熱槽１２の温度を検出するセンサであり、蓄熱槽１２の温度に応じた信号をシステムコントローラ４０に出力する。熱媒入口温度センサ４２は、吸収式冷凍機２１の再生器１０１に供給される熱媒の温度（熱媒入口温度）を検出するセンサであり、熱媒入口温度に応じた信号をシステムコントローラ４０に出力する。熱媒入口温度センサ４２は、個々の吸収式冷凍機２１に対応してそれぞれ設けられている。
【００３９】
冷水出口温度センサ４３は、２つの吸収式冷凍機２１から室内機３１に供給される冷水の温度（冷水出口温度）を検出するセンサであり、冷水出口温度に応じた信号をシステムコントローラ４０に出力する。冷水入口温度センサ４４は、室内機３１から２つの吸収式冷凍機２１に戻る冷水の温度（冷水入口温度）を検出するセンサであり、冷水入口温度に応じた信号をシステムコントローラ４０に出力する。冷水流量センサ４５は、吸収式冷凍機２１から室内機３１に供給される冷水の流量（冷水流量）を検出するセンサであり、冷水流量に応じた信号をシステムコントローラ４０に出力する。
【００４０】
冷却水入口温度センサ４６は、冷却塔２５から吸収式冷凍機２１の吸収器１０４に供給される冷却水の温度（冷却水入口温度）を検出するセンサであり、冷却水入口温度に応じた信号をシステムコントローラ４０に出力する。冷却水入口温度センサ４６は、個々の吸収式冷凍機２１に対応してそれぞれ設けられている。
【００４１】
本実施形態の特徴の一つとして、システムコントローラ４０は、５つの室内機３１が冷水に与える熱量と、２つの吸収式冷凍機２１の冷凍能力とを比較して、２つの吸収式冷凍機２１についての運転台数を制御することとしている。
【００４２】
図３は、吸収式冷凍システム１の制御方法を示すフローチャートである。このフローチャートは、所定の周期で呼び出されシステムコントローラ４０により実行される。
【００４３】
まず、ステップ１０（Ｓ１０）において、システムコントローラ４０はセンサ出力を読み込む。このステップ１０では、各熱媒入口温度センサ４２から熱媒入口温度が、冷水出口温度センサ４３から冷水出口温度が、冷水入口温度センサ４４から冷水入口温度が、冷水流量センサ４５から冷水流量が、各冷却水入口温度センサ４６から冷却水入口温度がそれぞれ読み込まれる。なお、熱媒入口温度は、蓄熱槽温度センサ４１から読み込まれる蓄熱槽１２の温度により代替することも可能である。
【００４４】
ステップ１１（Ｓ１１）において、システムコントローラ４０は、室内側負荷を演算する。室内側負荷は、単位時間あたりに５つの室内機３１が冷水に与える熱量を示すものである。室内側負荷は、冷水入口温度から冷水出口温度を減算した減算値に、冷水流量を乗算することで算出される。
【００４５】
ステップ１２（Ｓ１２）において、システムコントローラ４０は、冷凍能力を演算する。冷凍能力は、吸収式冷凍機２１が冷水を冷却する能力であり、単位時間あたりに冷水から奪う熱量に相当する。冷凍能力は、吸収式冷凍機２１毎に算出されるものであり、その吸収式冷凍機２１に供給される熱媒の温度（熱媒入口温度）と、その吸収式冷凍機２１に供給される冷却水の温度（冷却水入口温度）と、その吸収式冷凍機２１の温度特性とに基づいて算出される。
【００４６】
ここで、図４は、吸収式冷凍機２１の温度特性を示す説明図である。同図において、横軸は、熱媒入口温度を示し、縦軸は、冷凍能力を示す。同図には、低温から高温までの複数の冷却水入口温度に対応する温度特性が示されている。同図に示すように、吸収式冷凍機２１の冷凍能力は、熱媒入口温度が高いほどその能力が高くなる傾向を有し、また、同一の熱媒入口温度であっても、冷却水入口温度が低いほどその能力が高くなる傾向を有している。
【００４７】
システムコントローラ４０は、個々の吸収式冷凍機２１毎に、熱媒入口温度と冷却水入口温度とに対応する冷凍能力を規定したテーブル又は演算式を保持している。システムコントローラ４０は、当該テーブル又は演算式を参照し、熱媒入口温度と冷却水入口温度とに基づいて冷凍能力を演算する。なお、吸収式冷凍システム１が備える各吸収式冷凍機２１の冷凍能力が同じ又は概ね同じである場合には、一つのテーブルを流用することも可能である。
【００４８】
ステップ１３（Ｓ１３）において、システムコントローラ４０は、吸収式冷凍機２１の運転台数を決定する。具体的には、各吸収式冷凍機２１の冷凍能力と室内側負荷とを比較して、吸収式冷凍機２１の運転台数を決定する。例えば、室内側負荷が各吸収式冷凍機２１の冷凍能力よりも低い場合には、運転台数を１台に決定し、室内側負荷がいずれの吸収式冷凍機２１の冷凍能力よりも高い場合には、運転台数を２台に決定するといった如くである。
【００４９】
ステップ１４（Ｓ１４）において、システムコントローラ４０は、決定した運転台数に基づいて、各吸収式冷凍機２１に制御指令（運転指令又は休止指令）を出力する。例えば、運転台数が２台と決定された場合、システムコントローラ４０は、２つの吸収式冷凍機２１にそれぞれ運転指令を出力する。また、運転台数が１台と決定された場合、システムコントローラ４０は、２つの吸収式冷凍機２１のうちいずれか一方の吸収式冷凍機２１に運転指令を出力し、他方の吸収式冷凍機２１に休止指令を出力する。運転指令を出力する吸収式冷凍機２１の選択方法としては、２つのうちいずれの吸収式冷凍機２１を任意に選択することも可能であるが、各吸収式冷凍機２１が順次交代して運転されるように順繰りに選択することも可能である。また、システムコントローラ４０は、休止指令を出力した吸収式冷凍機２１については、これに対応する熱媒ポンプ２３、冷却水ポンプ２７、冷却塔２５のファンなどの駆動源を停止する。
【００５０】
このように本実施形態において、吸収式冷凍システム１は、蒸発器１０３、吸収器１０４、再生器１０１及び凝縮器１０２による循環サイクルによって５つの室内機３１にて使用される冷水を得る２つの吸収式冷凍機２１と、これらの吸収式冷凍機２１をそれぞれ制御するシステムコントローラ４０と、を有している。システムコントローラ４０は、５つの室内機３１が冷水に与える熱量と、２つの吸収式冷凍機２１の冷凍能力とを比較して、２つの吸収式冷凍機２１についての運転台数を制御している。
【００５１】
この構成によれば、室内機３１が低負荷であっても、その負荷に応じた台数の吸収式冷凍機２１が運転することとなる。そのため、運転中の吸収式冷凍機２１については温調停止頻度が低くなり、また、全ての吸収式冷凍機２１が温調停止を繰り返すといった事態を抑制することができる。これにより、吸収式冷凍機２１に供給される熱を有効利用することができる。
【００５２】
また、運転を休止する吸収式冷凍機２１が現れることで、熱媒ポンプ２３、冷却水ポンプ２７、冷却塔２５のファンなどの駆動源の動力を削減することができ、無駄なエネルギー消費を抑制することができる。また、吸収式冷凍機２１が運転を休止することで、その機器の通算運転時間の増加を抑えることができ、機器の寿命を延ばすことができる。特に、各吸収式冷凍機２１が順次交代して運転されるように、運転する吸収式冷凍機２１を順繰りに選択することで、各吸収式冷凍機２１の運転時間が平均化され、システム全体の長寿命化を図ることができる。
【００５３】
また、本実施形態によれば、吸収式冷凍システム１は、太陽熱集熱器１１によって集熱した熱を蓄熱する蓄熱槽１２をさらに有している。ここで、蓄熱槽１２は、熱媒を２つの吸収式冷凍機２１にそれぞれ供給している。そして、２つの吸収式冷凍機２１のそれぞれは、蒸発器１０３にて蒸発した冷媒を吸収器１０４内の吸収液にて吸収し、冷媒を吸収した吸収液を再生器１０１に供給すると共に、吸収器１０４から再生器１０１に供給される吸収液を蓄熱槽１２から供給される熱媒によって暖めている。
【００５４】
運転台数を決定する場合、負荷側の熱量（５つの室内機３１が冷水に与える熱量）を算出し、それに見合う台数で吸収式冷凍機２１を運転させることとなる。ここで、ガスや油を燃料として直焚きで再生器１０１を熱する方式では、燃料投入量を最大にすることにより定格の出力を出すことができるため、運転台数の決定が容易である。しかし、太陽熱で加熱した熱媒を利用する温水焚きで再生器１０１を熱する方式では、熱媒温度が安定せず、吸収式冷凍機２１の冷凍能力も安定しないため、運転台数を正確に決めることが困難となる。
【００５５】
この点本実施形態によれば、太陽熱により加熱された熱媒を利用する吸収式冷凍機２１についてその冷凍能力を適切に演算することができるので、運転台数を正確に決めることができる。
【００５６】
また、本実施形態において、吸収式冷凍システム１は、室内機３１から２つの吸収式冷凍機２１を経て再度室内機３１に冷水を循環させる冷水流路３２と、２つの吸収式冷凍機２１の凝縮器１０２及び吸収器１０４に冷却水を供給する複数の冷却塔２５と、をさらに有している。ここで、システムコントローラ４０は、冷水出口温度と、冷水入口温度と、冷水流量とに基づいて、室内機３１が冷水に与える熱量を算出する。また、システムコントローラ４０は、２つの吸収式冷凍機２１毎に、その熱媒入口温度と、その冷却水入口温度と、その吸収式冷凍機２１の温度特性とに基づいて冷凍能力を算出している。
【００５７】
この構成によれば、温水焚のように熱媒温度が安定しないような環境であっても、吸収式冷凍機２１の冷凍能力を適切に求めることができる。これにより、室内機３１側の負荷にあった台数で吸収式冷凍機２１を運転することができる。
【００５８】
以上、本発明の実施形態にかかる吸収式冷凍システムについて説明したが、本発明は上述した実施形態に限定されることなく、その発明の範囲内において種々の変形が可能であることはいうまでもない。
【００５９】
なお、本実施形態において吸収式冷凍機は、太陽熱で加熱した熱媒（温水）を利用する温水焚の方式を利用するものであるが、これに限るものではない。例えば、吸収式冷凍機は、エンジンなどの排ガスを熱媒として利用する排ガス焚の方式や、ボイラーなど蒸気を熱媒として利用する蒸気焚の方式であってもよい。例えば、排ガス焚の方式の場合には、上述の熱媒入口温度に変えて排ガス温度に応じて吸収式冷凍機の温度特性が定まるので、これにより、その冷凍能力を求めることができる。また、蒸気焚の方式の場合には、上述の熱媒入口温度に変えて蒸気圧力に応じて吸収式冷凍機の温度特性が定まるので、これにより、その冷凍能力を求めることができる。
【００６０】
また、上述した実施形態では、２台の吸収式冷凍機を例示したが、３台や４台といった複数台の吸収式冷凍機を備える吸収式冷凍システムに本発明は適用可能である。例えば、５０台といった大規模な台数の吸収式冷凍機２１により吸収式冷凍システム１を構築することも可能である。
【００６１】
また、上述した実施形態では、冷水を利用する機器として、５つの室内機を例示したが、これに限定されず、１台やそれ以外の室内機であってもよい。また、室内機以外にも冷水を使用する外部機器であればよい。外部機器としては、例えば工業用冷却装置等が挙げられる。
【００６２】
また、上述した実施形態では、冷却塔と吸収式冷凍機とを一対一で設けているが、複数の吸収式冷凍機に対して一台の冷却塔を設けるものでもよい。また、冷却塔は、地中熱や地下水を利用して冷却水を冷却するものでもよい。このようなシステムでは、冷却水を低い温度に保てる為、吸収式冷凍機の冷凍能力を高めることも可能になる。本発明では、このような冷凍能力が異なるシステムであっても、運転台数を正確に制御することができる。
【符号の説明】
【００６３】
１    吸収式冷凍システム
１０    第１システム
１１    太陽熱集熱器
１２    蓄熱槽
２０    第２システム
２１    吸収式冷凍機
１０１    再生器
１０２    凝縮器
１０３    蒸発器
１０４    吸収器
２５    冷却塔
３０    第３システム
３１    室内機
４０    システムコントローラ（コントローラ）
【図１】
2016057005.tif 000003
【図２】
2016057005.tif 000004
【図３】
2016057005.tif 000005
【図４】
2016057005.tif 000006